(57)【要約】【課題】自身の端部に伸縮自在にしなやかな止め具を備えた少なくとも一つのキャリッジを内部に備え、且つ先行技術に含まれる技術的な欠点を排除することを可能とする、引出しのための引出しガイドアセンブリを実現する。【解決手段】前記止め具（２３，２３´）の各々は、キャリッジ（４）から分離し、且つキャリッジ（４）に固定する手段を有し、前記固定する手段は固定要素（２８，２８´）を含み、前記固定要素（２８，２８´）は、接合する形状の手段、またはフォースフィッティングもしくはスナップフィッティングで、前記キャリッジ（４）における前記回転要素（９）のための少なくとも一つの前記収容座（８）に取り付けることによって、挿入可能であることを特徴とする、引出しのための引出しガイドアセンブリ。【選択図】図４
2014516663.tif 000002
【特許請求の範囲】
【請求項１】
引出しを引き出す方向に相対的および可逆的にスライド可能な第１のガイド部品（２）および少なくとも一つの第２のガイド部品（３）と、
前記第１のガイド部品（２）と前記第２のガイド部品（３）との間に挿入され、且つ引出しの引出す方向に可逆的にスライド可能な、少なくとも一つのキャリッジ（４）とを含み、
前記キャリッジ（４）は、
荷重を伝達する回転要素（９）のための複数の収容座（８）と、
自身の端部に、前記第１のガイド部品（２）と前記第２のガイド部品（３）との相対的なスライドを抑制するため、前記第１のガイド部品（２）および前記第２のガイド部品（３）に備えられる相互に作用する制止要素（３０，３１）に適した伸縮自在にしなやかな止め具（２３，２３´）とを有する、
引出しのための引出しガイドアセンブリであって、
前記止め具（２３，２３´）の各々は、キャリッジ（４）から分離し、且つキャリッジ（４）に固定する手段を有し、
前記固定する手段は固定要素（２８，２８´）を含み、
前記固定要素（２８，２８´）は、接合する形状の手段、またはフォースフィッティングもしくはスナップフィッティングで、前記キャリッジ（４）における前記回転要素（９）のための少なくとも一つの前記収容座（８）に取り付けることによって、挿入可能であることを特徴とする、引出しのための引出しガイドアセンブリ。
【請求項２】
前記止め具（２３，２３´）の各々は、支持本体（２４，２４´）を含み、
前記支持本体（２３，２３´）の各々は、組み立てられた状態において、前記少なくとも一つの収容座（８）の側面に位置し、且つ正面または背面で一つまたはそれ以上の伸縮自在にしなやかなタブ（２５，２５´）を有し、
サイドにおいて前述した固定手段に接続するためのブリッジ（２６，２６´）をさらに含むことを特徴とする、請求項１に記載の引出しのための引出しガイドアセンブリ。
【請求項３】
前記ブリッジ（２６，２６´）は、前記少なくとも一つの収容座（８）の側面の範囲を定める壁のエスケープ（２７，２７´）を通って延びることを特徴とする、請求項２に記載の引出しのための引出しガイドアセンブリ。
【請求項４】
前記支持本体（２４，２４´）および前記ブリッジ（２６，２６´）は、前記収容座（８）に亘った、前記キャリッジ（４）の上側の範囲を定める壁（５）と下側の範囲を定める壁（６）との範囲内で制限されることを特徴とする、請求項３に記載の引出しのための引出しガイドアセンブリ。
【請求項５】
前記支持本体（２４，２４´）および前記ブリッジ（２６，２６´）は、キャリッジ（４）の平坦な外側の側面の範囲を定める壁（７ａ，７ｂ）の範囲内で制限され、その中に、前記第１のガイド部品（２）と前記第２のガイド部品（３）との間の相対的なスライドをガイドするための回転要素（１７）のための収容座（１６）が備えられることを特徴とする、請求項３または４に記載の引出しのための引出しガイドアセンブリ。
【請求項６】
前記固定手段は、前記荷重を伝達する回転要素９に類似した湾曲を有する少なくとも一つの表面を備える固定要素（２８，２８´）を含むことを特徴とする、請求項１〜５のいずれかに記載の引出しのための引出しガイドアセンブリ。
【請求項７】
前記固定要素（２８，２８´）は、対応する前記収容座（８）からはみ出す前記回転要素（９）と同じ程度に、対応する前記収容座（８）の向かい合うサイドからはみ出すことを特徴とする、請求項６に記載の引出しのための引出しガイドアセンブリ。
【請求項８】
前記固定要素（２８，２８´）は、一つの前記支持本体（２４，２４´）および前記ブリッジ（２６，２６´）に形成されることを特徴とする、請求項２〜７のいずれかに記載の引出しのための引出しガイドアセンブリ。
【請求項９】
前記固定要素（２８´）は、回転要素を収容するための、一つの前記ブリッジ（２６´）および前記支持本体（２４´）に形成されるピン（２９）を支持することを特徴とする、請求項６または７に記載の引出しのための引出しガイドアセンブリ。
【請求項１０】
前記支持本体（２４，２４´）は、引出しが引き出された状態にされたとき、第１の止め具と相互に作用することに適した第１の伸縮自在にしなやかなタブ（２５，２５´）と、且つ引出しが引き出された状態にされたとき、第２の止め具と相互に作用することに適した第２の伸縮自在にしなやかなタブ（２５，２５´）とを支えることを特徴とする、請求項２〜９のいずれかに記載の引出しのための引出しガイドアセンブリ。
【請求項１１】
前記第１のタブ（２５，２５´）および前記第２のタブ（２５，２５´）は、一方が他方の上部に位置することを特徴とする、請求項１０に記載の引出しのための引出しガイドアセンブリ。
【請求項１２】
前記第１のタブ（２５，２５´）および前記第２のタブ（２５，２５´）は、相互に隣り合って位置することを特徴とする、請求項１０に記載の引出しのための引出しガイドアセンブリ。
【請求項１３】
前記伸縮自在にしなやかなタブ（２５，２５´）は、一つの前記支持本体（２４，２４´）に形成されることを特徴とする、請求項２〜１２のいずれかに記載の引出しのための引出しガイドアセンブリ。
【請求項１４】
前記支持本体（２４，２４´）は、本質的には、引出しの引出す方向と直交する縦の軸線に方向づけられた、平行六面体であることを特徴とする、請求項２〜１３のいずれかに記載の引出しのための引出しガイドアセンブリ。
【請求項１５】
前記止め具（２３，２３´）は前記キャリッジ（４）とは異なる物質で形成されることを特徴とする、請求項１〜１４のいずれかに記載の引出しのための引出しガイドアセンブリ。
【請求項１６】
請求項１〜１５のいずれかに記載の引出しガイドアセンブリを含むことを特徴とする、引出し。
【発明の詳細な説明】
【技術分野】
【０００１】
本発明は、引出しのための引出しガイドアセンブリに関する。
【背景技術】
【０００２】
引出しのための引出しガイドの使用は、引出しの両サイドにおいて、家具本体に接続可能な固定されたガイド部品と、引出しに固定することが可能な可動性のあるガイド部品と、固定されたガイド部品と可動性のあるガイド部品との間をスライドする任意の中間のガイド部品とを含むタイプがよく知られている。
【０００３】
上記した複数のガイド部品の間には、少なくとも一つのスライドするキャリッジが配置される。このキャリッジは、荷重を伝達する回転要素のための複数の収容座を有する。この回転要素は、例えばローラーまたはボールの形式である。
【発明の概要】
【発明が解決しようとする課題】
【０００４】
引出しの動きを制限するために、ガイド部品は適切な制止要素を備える。この制止要素は、引出し自身の完全に引き出された状態および完全に閉じられた状態において、キャリッジの端部に対して当接する。しかしながら、キャリッジが制止要素に当接するとき、キャリッジの騒音および機械的な抵抗の問題などが生じる衝突が発生する。
【０００５】
このような欠点を克服するため、キャリッジは、有利には、自身の端部の各々において、ガイド部品の制止要素との当接に由来する衝突を弱めるために、キャリッジの運動エネルギーを吸収することが可能な伸縮自在にしなやかな止め具を備える。
【０００６】
上記した伸縮自在にしなやかな止め具は、キャリッジに適用された状態から分離する部品として形成されることが可能である。しかしながら、この場合、キャリッジの寸法および構造的な特徴に一致する程度まで、キャリッジの形状を変更する必要がある。これは、特別な収容座を実現するとともに、止め具を固定するためのキャリッジにおける特別な手段を実現するためである。
【０００７】
代わりに、伸縮自在にしなやかな止め具は、キャリッジの一つの部品として形成することができる。しかし、これは、キャリッジの形成において、より重大な複雑さが必然的に伴うとともに、止め具を備えるキャリッジと備えないキャリッジとのために異なる型を作る必要がある。
【０００８】
この様な場合、さらに、伸縮自在にしなやかな止め具が壊れたとき、キャリッジ全体を交換する必要がある。
【０００９】
本発明が努める技術的な課題は、したがって、自身の端部に伸縮自在にしなやかな止め具を備えた少なくとも一つのキャリッジを内部に備え、且つ先行技術に含まれる技術的な欠点を排除することを可能とする、引出しのための引出しガイドアセンブリを実現することである。
【００１０】
この課題の範囲内で、本発明の一つの目的は、自身の端部に伸縮自在にしなやかな止め具を備えた少なくとも一つのキャリッジを内部に備え、これにより、止め具に、キャリッジの形状を実質上変更するいかなる必要もなくキャリッジに固定されることを可能とし、さらに、その上、止め具を取り付けるか否かの選択を可能にするキャリッジの実現のための一つの基本的な型を予想することを可能にする、引出しのための引出しガイドアセンブリを実現することである。
【００１１】
本発明の他の目的は、自身の端部に伸縮自在にしなやかな止め具を備えた少なくとも一つのキャリッジを内部に備え、且つキャリッジの形状を複雑にしない止め具を予想する、
引出しのための引出しガイドアセンブリを実現することである。
【００１２】
本発明の他の目的は、自身の端部に伸縮自在にしなやかな止め具を備えた少なくとも一つのキャリッジを内部に備え、これにより、止め具を取り付けることおよび交換することをかなり簡単にすることを保証し、且つ止め具自身を異なるキャリッジに設けることを可能にする、引出しのための引出しガイドアセンブリを実現することである。
【課題を解決するための手段】
【００１３】
これらのおよび他の目的と同様に、技術的な課題は、本発明の、引出しのための引出しガイドアセンブリを実現することにより、達成される。引出しのための引出しガイドアセンブリは、引出しを引き出す方向に相対的および可逆的にスライド可能な第１のガイド部品および少なくとも一つの第２のガイド部品と、前記第１のガイド部品と前記第２のガイド部品との間に挿入され、且つ引出しの引出す方向に可逆的にスライド可能な、少なくとも一つのキャリッジとを含み、前記キャリッジは、荷重を伝達する回転要素のための複数の収容座と、自身の端部に、前記第１のガイド部品と前記第２のガイド部品との相対的なスライドを抑制するため、前記第１のガイド部品および前記第２のガイド部品に備えられる相互に作用する制止要素に適した伸縮自在にしなやかな止め具とを有する引出しのための引出しガイドアセンブリであって、前記止め具の各々は、キャリッジから分離し、且つキャリッジに固定する手段を有し、前記固定する手段は固定要素を含み、前記固定要素は、接合する形状の手段、またはフォースフィッティングもしくはスナップフィッティングで、前記キャリッジにおける前記回転要素のための少なくとも一つの前記収容座に取り付けることによって、挿入可能であることを特徴とする、引出しのための引出しガイドアセンブリ。
【００１４】
伸縮自在にしなやかな止め具の固定のために、本発明の引出しのための引出しガイドアセンブリは、既に一般的な既知のタイプのキャリッジにおける荷重を伝達する回転要素の収容座を利用する。
【発明の効果】
【００１５】
本発明の顕著な態様の一つは、したがって、一般的に入手可能なキャリッジがいかなる特別な手順も必要としないで、伸縮自在にしなやかな止め具を備え付けられることである。
【００１６】
アセンブリの際に、オペレーターは、それゆえに、特別な適用に基づいて、伸縮自在にしなやかな止め具をキャリッジに適用するか否かを決定することができる。
【００１７】
止め具の固定が実現されること、例えば、接合する形状を用いることによって、またはフォースフィッティングもしくはスナップフィッティングによって、アセンブリをかなり簡単にすること、および止め具自身の取り換えの可能性を保証する。
【００１８】
本発明の他の特徴は、後の請求項において、さらに規定されている。
【００１９】
本発明の更なる特徴および利点は、好ましい、しかしながら排他的でない本発明の引出しガイドアセンブリの実施の形態、添付された図面の中の制限されない実施例の方法による説明によって、より明らかとなる。
【図面の簡単な説明】
【００２０】
【図１】完全に引出した状態の引出しのための引出しガイドアセンブリと、伸縮自在にしなやかな止め具つきのキャリッジの端部に関して拡大した細部とを示した部分断面図である。
【図２】図１に示した引出しガイドアセンブリのＩ−Ｉ断面図である。
【図３】荷重を伝達する回転要素、および伸縮自在にしなやかな止め具のアセンブリするより前のキャリッジを示した斜視図である。
【図４】まだ組み立てられていない、荷重を伝達する回転要素、および伸縮自在にしなやかな止め具つきキャリッジを示した斜視図である。
【図５】組み立てられた、荷重を伝達する回転要素、および伸縮自在にしなやかな止め具つきキャリッジを示した斜視図である。
【図６】伸縮自在にしなやかな止め具の異なる構成を示す図である。
【発明を実施するための形態】
【００２１】
上記した図に関して、引出しのための引出しガイドアセンブリ全体を参照番号１で示す。
【００２２】
引出しガイドアセンブリは、引出しを引き出す方向に相対的および可逆的にスライド可能な、第１のガイド部品２と少なくとも一つの第２のガイド部品３とを含む。
【００２３】
特に、第１のガイド部品２は、スライドする引出しを有する、家具本体に固定され、その一方で、第２のガイド部品３は可動性があり、直接的に引出しに固定されている。
【００２４】
第１のガイド部品２と第２のガイド部品３との間に、少なくとも一つのキャリッジ４が挿入される。このキャリッジ４は、引出しを引き出す方向に、同様に可逆的にスライド可能である。
【００２５】
ここでは示さない、任意の方法で、第１のガイド部品２と第２のガイド部品３との間をスライドする中間のガイド部品を備えることも可能である。また、このような場合、少なくとも一つのキャリッジ４が第１のガイド部品２と中間のガイド部品との間に備えられ、さらに少なくとも一つのキャリッジ４が第２のガイド部品３と中間のガイド部品との間に備えられる。
【００２６】
キャリッジ４は、上側の範囲を定める壁５と、下側の範囲を定める壁６と、上側の範囲を定める壁に沿って、平坦な外側の側面の範囲を定める壁７ａ，７ｂとを備え、引出しの引き出す方向に延びる縦の軸線に沿って延びる。
【００２７】
キャリッジ４は、荷重を伝達する回転要素９のための複数の収容座８を備える。回転要素９は、この場合はローラーで示されるが、ボールによって置き換えることができる。
【００２８】
キャリッジ４が延びる縦の軸線の方向に、連続して一直線にされた第１の一連の収容座８が、上側の範囲を定める壁５の全体的な厚さを通して得られるとともに、キャリッジ４が延びる縦の軸線の方向に、連続して一直線にされた第２の一連の収容座８が、下側の範囲を定める壁６の全体的な厚さを通して得られる。
【００２９】
収容座８は、キャリッジ４の正面端部１０と背面端部１１とに配置される。回転要素９は、引出しの引き出す方向に水平且つ直交して方向付けられた軸線の各々の周りを回転できるような方法で収容座８にかみ合わされる。
【００３０】
第１の一連の回転要素９は、範囲を定める壁５の厚さと比較して大きい直径を有している。これは、一方のサイドの第１のガイド部品２の水平な平坦面１２と、他方のサイドの第２のガイド部品３の水平な平坦面１３とに沿って、摺動摩擦なしで回転できるようにするため、まさに収容座８の両サイドからはみ出せるようにするためである。
【００３１】
同様に、第２の一連の回転要素９は、範囲を定める壁６の厚さと比較して大きい直径を有している。これは、一方のサイドの第１のガイド部品２の水平な平坦面１４と、他方のサイドの第２のガイド部品３の水平な平坦面１５とに沿って、摺動摩擦なしで回転できるようにするため、まさに収容座８の両サイドからはみ出せるようにするためである。キャリッジ４は、さらに、回転する側面のガイド要素１７のための複数の収容座１６を有する。回転する側面のガイド要素７は、ここではローラーによって示されるが、ボールによって置き換えることができる。
【００３２】
キャリッジ４が延びる縦の軸線の方向に、連続して一直線にされた第１の一連の収容座１６は、平坦な外側の側面の範囲を定める壁７ａの全体的な厚さを通して得られる。また、キャリッジ４が延びる縦の軸線の方向に、連続して一直線にされた第２の一連の収容座１６は、平坦な外側の側面の範囲を定める壁７ｂの全体的な厚さを通して得られる。
【００３３】
収容座１６は、キャリッジ４の正面端部１０と背面端部１１とに配置される。
【００３４】
回転要素１７は、引出しの引き出す方向と直角に直交して方向付けられた軸線の各々の周りを回転できるような方法で収容座１６にかみ合わされる。
【００３５】
第１の一連の回転要素１７は、側面の範囲を定める壁７ａの厚さと比較して大きい直径を有している。これは、一方のサイドの第１のガイド部品２の垂直な平坦面１８と、他方のサイドの第２ガイド部品３の垂直な平坦面１９とに沿って、摺動摩擦なしで回転できるようにするため、まさに収容座１６の両サイドからはみ出せるようにするためである。
【００３６】
同様に、第２の一連の回転要素１７は、側面の範囲を定める壁７ｂの厚さと比較して大きい直径を有している。これは、一方のサイドの第１のガイド部品２の垂直な平坦面２０と、他方のサイドの第２のガイド部品３の垂直な平坦面２１とに沿って、摺動摩擦なしで回転できるようにするため、まさに収容座８の両サイドからはみ出せるようにするためである。キャリッジ４の端部１０，１１の各々は、相互に作用する制止要素に適した、伸縮自在にしなやかな止め具２３，２３´を有する。これらは、第１のガイド部品２と第２のガイド部品３との相対的なスライドを抑制するために備えられる。
【００３７】
止め具２３，２３´の各々は、有利には、キャリッジ４から分離する部品である。また、各々がキャリッジ４に固定されることにより、回転要素９のための少なくとも一つの収容座８に挿入可能に形成される。
【００３８】
ここで示す解決手段では、止め具２３，２３´の各々は、収容座８の各々に固定することが可能である。
【００３９】
止め具２３，２３´の各々は、支持本体２４，２４´を含み、収容座８の側面に組み立てられて固定される。
【００４０】
止め具２３．２３´の各々の支持本体２４，２４´は、本質的には、引出しの引き出す方向に直交した縦の軸線で方向付けられた平行六面体である。
【００４１】
止め具２３の支持本体２４は、少なくとも一つの、または図示するように少なくとも二つの伸縮自在にしなやかなタブ２５を正面に有する。
【００４２】
止め具２３´の支持本体２４´は、少なくとも一つの、または図示するように少なくとも二つの伸縮自在にしなやかなタブ２５´を正面に有する。
【００４３】
止め具２３，２３´の各々の伸縮自在にしなやかなタブ２５，２５´の各々は、好ましくは、支持本体２４，２４´の各々に一つ形成される。
【００４４】
ここでの好ましい実施形態においては、止め具２３，２３´の各々の２つの伸縮自在なタブ２５，２５´の各々は、一方と他方との先端に配置される。
【００４５】
このような場合で、図１で示したものにあっては、引出しが完全に引き出された状態で、止め具２３の下側のタブ２５は、第１のガイド部品２に形成された第１の制止要素３０と接触する。一方で、止め具２３´の上側のタブ２５´は、第２のガイド部品３に形成された第１の制止要素３１と接触する。これに対して、（図示しない）引出しの完全に引っ込めた状態においては、止め具２３の上側のタブ２５は、第１のガイド部品２に形成される（図示しない）第２の制止要素に接触し、一方で、止め具２３´の下側のタブ２５´は、第２のガイド部品３に形成される（図示しない）第２の制止要素と接触する。
【００４６】
図示しない、好ましい実施の形態においては、止め具２３，２３´の各々のタブ２５，２５´の各々は、相互に並んで配置されることが可能である。
【００４７】
止め具２３，２３´の各々の支持本体２４，２４´の各々は、固定手段で接続するために、側面にブリッジ２６，２６´の各々を有する。組み立てられた状態においては、ブリッジ２６，２６´の各々は、止め具２３，２３´の各々が固定されるために、収容座８の側面の範囲を定める壁のエスケープ２７，２７´の各々を通って延びることが好ましい。
【００４８】
止め具２３，２３´の各々の、支持本体２４，２４´の各々およびブリッジ２６，２６´の各々は、キャリッジ４の範囲を定める上側の壁５および下側の壁６の範囲内、およびキャリッジ４の平坦な外側の側面の範囲を定める壁７ａ，７ｂの範囲内で定められる。
【００４９】
止め具２３，２３´の各々の固定手段は、固定要素２８，２８´の各々を含み、一度、収容座８自身の各々に挿入され、荷重を伝達する回転要素９に類似した湾曲を有する自身の表面が収容座８の向かい合うサイドからはみ出す。
【００５０】
固定要素２８，２８´の各々は、回転要素９が対応する収容座８からはみ出すのと同じ程度に、収容座８の反対側のサイドからはみ出す。
【００５１】
考慮したことに限っては、固定要素の各々は、回転要素９と同じ直径および同じ軸線の方向を有する円筒の表面の部分が、収容座８の向かい合うサイドからはみ出す。
【００５２】
止め具２３，２３´の各々の固定要素２８，２８´の各々は、図４に示すように、一つの支持本体２４，２４´の各々、およびブリッジ２６，２６´の各々に形成されることが可能であり、または図６の背面の止め具２３´に関して示すように、回転要素を収容するため、一つのブリッジ２６´および支持本体２４´に形成されるピン２９を支持することが可能である。
【００５３】
先に述べた場合の固定要素２８，２８´は、表面１２，１３，１４，１５とこすれてスライドし、後に述べた場合のそれは、固定要素２８，２８´の表面１２，１３，１４，１５との摺動摩擦なしで回転できるものに取って代わる。
【００５４】
伸縮自在にしなやかな止め具２３，２３´は、キャリッジ４と同じ物質で構成され、そうでなければ、異なる物質から適切に形成されることが可能である。この発明に係る引出しのための引出しガイドのアセンブリは、説明および図示すること、さらに、特に、下記の内容で十分に、明らかに表される。
【００５５】
回転要素１７は、全ての使用可能な収容座１６を用いたキャリッジ４、およびキャリッジ４の正面端部１０および背面端部１１における収容座８の特例とともに、全ての使用可能な収容座８を用いた回転要素９に適用できる。
【００５６】
正面の止め具２３は、収容座８に挿入される自身の固定要素２８によって、キャリッジ４に適用でき、意識的には、キャリッジ４の正面端部１０において自由に離される。さらに、背面の止め具２３´の固定要素２８´は、キャリッジ４の背面端部１１において自由に離される態様で、背面の収容座８に挿入される。
【００５７】
上記したように構成される固定要素２８，２８´は、キャリッジ４に対して止め具２３，２３´を固定することに加えて、第１のガイド部品２と第２のガイド部品３との間の荷重の伝達のためのポイントを提供するがゆえに、引出しガイドアセンブリを安定させることに貢献する。考えられる引出しのための引出しガイドアセンブリは、多くの修正および変形に柔軟であり、この全ては、本発明思想の範囲に属する。さらに、全ての細部は、技術的に等しいものに置き換えることが可能である。
【００５８】
実施においては、使用される全ての物質や寸法は、必要性および技術水準に従ってどのようにでも変更することが可能である。
【符号の説明】
【００５９】
１  引出しガイドアセンブリ、２  第１のガイド部品、３  第２のガイド部品、４  キャリッジ、５  上側の範囲を定める壁、６  下側の範囲を定める壁、７  外側の側面の範囲を定める壁、８，１６  収容座、９，１７  回転要素、１０  正面端部、１１  背面端部、１２，１３，１４，１５，１８，１９，２０，２１  平坦面、２３  止め具、２４  支持本体、２５  伸縮自在にしなやかなタブ、２６  ブリッジ、２７  側面の範囲を定める壁のエスケープ、２８  挿入可能な固定要素、２９  ピン、３０，３１  制止要素。
【図１】
2014516663.tif 000003
【図２】
2014516663.tif 000004
【図３】
2014516663.tif 000005
【図４】
2014516663.tif 000006
【図５】
2014516663.tif 000007
【図６】
2014516663.tif 000008
【国際調査報告】
2014516663.tif 000009
2014516663.tif 000010